(57)【特許請求の範囲】
【請求項１】
スキャナとプリンタとを備え、かつ文書管理サーバに対し、画像データと該画像データの属性を記載したメタデータとを送出する画像処理装置であって、
項目が固定のシステムデータエリアと、項目が可変のユーザデータエリアとを備え、かつ前記画像データと前記メタデータとを共に文書管理サーバへ出力するか、あるいは前記メタデータのみを出力するかを決定するメタデータのテンプレートを、画像処理装置での処理の種類及び画像データが表す文書の種類毎に、複数記憶する記憶部と、
テンプレートをユーザが選択するための手段と、
テンプレートへのユーザの入力手段、とを設けたことを特徴とする、画像処理装置。
【請求項２】
コピーに対するテンプレートは、少なくともユーザを特定する情報の項目とプリントアウトの枚数の項目とを含み、さらにコピーが中断された場合、中断された時点でのプリントアウト枚数をテンプレートに書き込むようにしたことを特徴とする、請求項１の画像処理装置。
【請求項３】
スキャナとプリンタとを備え、かつ文書管理サーバに対し、画像データと該画像データの属性を記載したメタデータとを送出する画像処理装置のプログラムであって、
前記画像処理装置を、
項目が固定のシステムデータエリアと、項目が可変のユーザデータエリアとを備え、かつ前記画像データと前記メタデータとを共に文書管理サーバへ出力するか、あるいは前記メタデータのみを出力するかを決定するメタデータのテンプレートを、画像処理装置での処理の種類及び画像データが表す文書の種類毎に、複数記憶する記憶部と、
テンプレートをユーザが選択するための手段、  
及びテンプレートへのユーザの入力手段、として機能させる画像処理装置のプログラム。
【発明の詳細な説明】
【技術分野】
【０００１】
この発明はスキャナやプリンタ、ファクシミリなどの画像処理装置に関する。
【背景技術】
【０００２】
スキャナとプリンタ、あるいはこれらにさらにファクシミリ処理部などを備えた複合機に付いて、スキャンした画像、コピーした画像、及びファクシミリで送受信した画像を、メタデータと共に、文書管理サーバに記憶することが知られている（特許文献１：特開２００３−３０２２０，特許文献２：特開２０００−３４１４５４）。メタデータは複合機での処理の内容あるいは処理した画像の属性を記載したデータで、画像データの属性等を記載したデータである点からメタデータと言い、特許文献１等に開示されるようにＸＭＬ等のファイル形式で記載される。また文書管理サーバ内で、文書管理を行うシステムをＤＭＳ（Document Management System）という。ＤＭＳはメタデータを保存するデータベースと画像データを保存するデータベースとで構成され、メタデータを検索して、対応する画像データを出力できる。この結果、複合機などで処理した画像データを有効利用するのが容易になる。
しかし、画像データとメタデータとを共に文書管理サーバで記憶することは、メモリを多量に消費することになる。
【特許文献１】特開２００３−３０２２０
【特許文献２】特開２０００−３４１４５４
【発明の開示】
【発明が解決しようとする課題】
【０００３】
この発明の課題は、文書管理サーバのメモリを節約しながら、画像処理装置の使用状況を管理できるようにすることにある。
この発明の課題は、画像データとメタデータとを共に出力するか、メタデータのみを出力するかの制御を簡単にすることにある。
さらにこの発明の追加の課題は、コピーに対する課金を確実に行えるようにすることにある。
【課題を解決するための手段】
【０００４】
この発明は、スキャナとプリンタとを備え、かつ文書管理サーバに対し、画像データと該画像データの属性を記載したメタデータとを送出する画像処理装置であって、項目が固定のシステムデータエリアと、項目が可変のユーザデータエリアとを備え、かつ前記画像データと前記メタデータとを共に文書管理サーバへ出力するか、あるいは前記メタデータのみを出力するかを決定するメタデータのテンプレートを、画像処理装置での処理の種類及び画像データが表す文書の種類毎に、複数記憶する記憶部と、テンプレートをユーザが選択するための手段と、テンプレートへのユーザの入力手段、とを設けたことを特徴とする。
【０００５】
好ましくは、コピーに対するテンプレートは、少なくともユーザを特定する情報の項目とプリントアウトの枚数の項目とを含み、さらにコピーが中断された場合、中断された時点でのプリントアウト枚数をテンプレートに書き込むようにする。
【０００６】
さらにこの発明は、スキャナとプリンタとを備え、かつ文書管理サーバに対し、画像データと該画像データの属性を記載したメタデータとを送出する画像処理装置のプログラムであって、前記画像処理装置を、項目が固定のシステムデータエリアと、項目が可変のユーザデータエリアとを備え、かつ前記画像データと前記メタデータとを共に文書管理サーバへ出力するか、あるいは前記メタデータのみを出力するかを決定するメタデータのテンプレートを、画像処理装置での処理の種類及び画像データが表す文書の種類毎に、複数記憶する記憶部と、テンプレートをユーザが選択するための手段、及びテンプレートへのユーザの入力手段、として機能させるプログラムにある。
【発明の効果】
【０００７】
この発明では、画像データとメタデータとを共に文書管理サーバへ出力するか、メタデータのみを出力するかを制御できる。従って、例えば契約書などの重要な書類は画像データとメタデータとを保存でき、雑書類などはメタデータのみを保存する。またセキュリティ上の理由で、画像データを保存できない場合にもメタデータを保存できる。このため文書管理サーバのメモリを節約できる。そしていずれの場合もメタデータを保存するので、画像処理装置の使用状況を管理できる。
【０００８】
さらに、画像処理装置にメタデータのテンプレートを複数記憶しておくと、テンプレートと関連づけて、画像データとメタデータとを共に出力するか、メタデータのみを出力するかを決めることができる。ユーザはメタデータのみを出力するかどうかを、簡単に選択できる。
またさらに、コピーに対するメタデータに、少なくともユーザを特定する情報とプリントアウトの枚数とを含めると、ユーザ毎の課金を確実に行うことができる。
【発明を実施するための最良の形態】
【０００９】
以下に本発明を実施するための最適実施例を示す。
【実施例】
【００１０】
図１〜図８に、実施例の複合機２とメタデータ管理プログラム８６とを示す。図１などにおいて、４はＬＡＮで、６は管理者端末、８はユーザ端末で通常複数の端末があり、１０はＤＭＳサーバである。管理者端末６はユーザ端末８はパーソナルコンピュータなどを用い、ＤＭＳサーバ１０も同様にパーソナルコンピュータなどで構成され、入出力するデータを一時的に記憶するフォルダと、メタデータを管理するデータベース並びにメタデータとリンクした、即ちメタデータと対応付けられた画像データを記憶するデータベースとを備えている。ＤＭＳサーバ１０はメタデータのデータベースと画像データのデータベース並びにフォルダや、メタデータと画像データの入出力を管理するソフトウェアから成るＤＭＳ本体を記憶している。
【００１１】
１２はインターネットサーバで、ここではＳＭＴＰサーバやＰＯＰサーバなどのインターネットアプリケーションのサーバから成り、ルータ１４を通じてインターネットとＬＡＮ４とが接続されている。複合機２はネットワークインターフェース２０を介してＬＡＮ４に接続され、インターネットサーバ１２を介してインターネットとの間でインターネットファクシミリの送受信などを行い、ネットワークインターフェース２０はバス２１に接続されている。
【００１２】
２２はスキャナでカラースキャナでもモノクロスキャナでもよく、２３はプリンタでカラープリンタでもモノクロプリンタでもよい。２４はファクシミリ処理部で、インターネットサーバ１２中のＳＭＴＰサーバなどを通じてインターネットファクシミリの送受信などを行い、また公衆電話回線網を通じてＧ３ファクシミリの送受信を行う。なおファクシミリ処理部２４は備えていなくても良い。そして複合機２がユーザに対して提供するサービスは、画像データのスキャンと画像データのコピーであり、これ以外にユーザ端末８等から送出された画像データのプリントができ、またファクシミリの送受信ができる。
【００１３】
複合機２はユーザインターフェースとしてタッチパネル２５とバイオメトリクスセンサ２６並びにキーボード２７を備えている。タッチパネル２５は、表示用のパネルに重ねて複数の感圧スイッチを入力用に設けたものである。バイオメトリクスセンサ２６は例えば指紋センサや静脈センサなどで、複合機２を操作するユーザを認証する。キーボード２７は、タッチパネル２５以外の入力スイッチを表す。なおバイオメトリクスセンサ２６やキーボード２７は設けなくても良い。
【００１４】
画像メモリ３０は画像データを記憶し、プログラムメモリ３１は複合機２を制御するためのプログラムを記憶し、特に後述のメタデータ管理プログラム８６を記憶する。画像処理部３２は画像に対する縮小／拡大／精鋭化／地色の除去などの画像処理を行う。ここでの画像処理は、画像データを処理して新たな画像データを作る処理である。リムーバブルディスク３３はメタデータなどを記憶し、複合機２に対して着脱自在のディスクである。なお画像メモリ３０やプログラムメモリ３１は、ハードディスクやＲＡＭなどで実現しても、あるいはリムーバブルディスクで実現しても良い。
【００１５】
メタデータ管理部４０は、複合機２で作成するメタデータを管理する。メタデータはスキャンあるいはコピーやプリントする画像、もしくは送受信する画像について、その属性を記載したデータである。メタデータはメタデータファイルとして画像データのファイルと共にＤＭＳサーバ１０へ出力され、メタデータはメタデータのデータベースに、画像データは画像データのデータベースに記憶される。そしてユーザは端末６，８あるいはタッチパネル２５などから、メタデータのデータベースなどを検索し、所望の画像データにアクセスできる。メタデータは従来のログファイルに代わる役割をし、複合機２がいつだれによってどのように使用されたかの記録となる。例えばメタデータにはスキャンかプリントかなどの処理の内容と、複合機２を操作したユーザ名並びに処理の日時、処理した画像のページ数などがシステムデータに記憶されている。
【００１６】
そして画像の内容やその他のキーワードがユーザ項目として記載されている。そこでＤＭＳサーバ１０を検索することにより、例えばユーザ毎の複合機２の使用状況を求めて、課金データとすることができる。またどのようなデータをいつ誰が処理したかの記録により、画像データに対するセキュリティを高めることができる。例えば画像データをスキャンあるいはコピーする毎に、メタデータを作成してＤＭＳサーバ１０に保存すれば、画像データの不法コピーや不法な持ち出しなどを制限することができる。さらにメタデータを用いて、特にユーザデータを用いて、画像を検索することができる。実施例では、メタデータは例えば発注書，請求書，契約書などの画像データの種類毎に異なるフォーマットで記憶するので、画像データは種類分けされてＤＭＳサーバ１０に記憶されている。そしてサーバ１０を検索することにより、必要な画像データにアクセスできる。
【００１７】
この明細書でテンプレートとフォーマットは同義語で、メタデータファイルの形式とデータ項目とを特定したものであり、原則として複数のメタデータのテンプレートを記憶する。テンプレート管理部４１はテンプレートをリムーバブルディスク３３に記憶させ、端末６，８やタッチパネル２５などに表示して、ユーザの入力を可能にし、スキャナ２２やプリンタ２３、ファクシミリ処理部２４などで処理した画像データとリンクさせて、メタデータファイルを作成する。
【００１８】
ＤＭＳチェッカ４２は、スキャナ２２やプリンタ２３あるいはファクシミリ処理部２４での処理の実行前に、メタデータファイルをＤＭＳサーバ１０のフォルダに一時書き込みができるかどうかをチェックする。即ちメタデータを画像処理の実行前に保存できるかどうかをチェックする。保存できない場合、スキャンやプリントあるいはファクシミリ送信などを禁止するか、もしくはリムーバブルディスク３３にメタデータを保存するなどの処理を行う。出力制御部４３は、メタデータファイルと対応する画像ファイルとをＤＭＳサーバ１０や端末６，８などに出力する。ここでテンプレート毎の設定により、メタデータファイルを画像ファイルと共に出力するか、メタデータのみを出力するかを選択できる。出力制御部４３はメタデータファイルを画像データと共に出力するか、メタデータのみを出力するかを制御する。
【００１９】
入力支援部４４はユーザデータ項目をユーザがタッチパネル２５やキーボード２７などから入力する際に支援し、例えばユーザ項目に対して不適正なデータが入力されるとそれをチェックして、正しいデータ形式で入力するようにユーザをガイドする。テンプレート設定部４５は、端末６あるいは端末６，８やタッチパネル２５などからテンプレートを設定する作業を支援する。
【００２０】
図２にテンプレートの例を示す。５０は個別のテンプレートで、ＤＭＳサーバ１０の種類に応じてＸＭＬもしくはＣＳＶなどのデータ形式を用いることができ、システムデータエリア５１とユーザデータエリア５２とに区分されている。システムデータエリア５１の各データ項目は、ＤＭＳサーバ１０にとって必須のデータ項目であり、ユーザデータエリア５２のユーザデータ項目５３は、端末６，８などから設定時に自由に設定したデータ項目である。ユーザデータ項目５３では、メタデータとして出力する項目名（メタデータネーム）と、タッチパネル２５などに表示するデータ名（ディスプレイネーム）の２重の項目名を記憶できるようにする。また項目名に対応するデータ本体を記憶する。なおデータ本体のフォーマットはＤＭＳサーバ１０などに応じて固定され、例えば数字のみ，英数字，英文字のみ，英文字＋記号，その他などの種類がある。そして複数種類のテンプレート５０がリムーバブルディスク３３に記憶され、テンプレート管理部４１により管理される。
【００２１】
図３，図４に例としてのメタデータファイル６０，６１を示す。図３のメタデータファイル６０はＸＭＬ形式で記載され、ファイルの前半のscanInfoからdocInfoまでは、システムデータのエリアであり、userDefinedのエリアがユーザデータエリアである。システムデータ中のPurchase orderは、画像データの種類を表し、またフォーマットの種類を表している。そしてスキャンを行った日時とスキャンを実行したユーザ名が記載されている。またメタデータや対応する画像データの保存先、ＤＭＳサーバでのファイル名、ページ数、白黒かカラーかの種別、画像データのファイル形式と解像度などが記載されている。これらはＤＭＳサーバ１０にとって必須の項目であり、メタデータファイルからこれらの項目に対するデータをＤＭＳサーバが発見できない場合、メタデータや画像データをＤＭＳサーバで管理できなくなる。そのためシステムデータとユーザデータとをファイル中での位置により区分し、ＤＭＳサーバ１０がメタデータファイルをファイルの先頭から後への順でチェックすれば、最初に必須のデータ項目を発見できるようにしてある。これらのデータ項目のうち、タイトルとユーザ名以外の部分は、複合機２側で自動的に発生できる。例えば日時や宛先、ファイル名、ページ数、ファイル形式、解像度などは、複合機２側で自動的に発生できる。ユーザ名や白黒かカラーかの種別は、タッチパネル２５へのユーザの入力などから求めることができる。
【００２２】
図４のメタデータファイル６１は、図３のメタデータファイル６０と実質的に同じデータを、ＣＳＶ（Comma Separated Values）形式で記載したものである。データ形式が異なるフォーマットが必要な理由は、ＤＭＳサーバ毎にデータフォーマットが定められているので、複数のＤＭＳサーバに対応するためには、テンプレートのフォーマットを複数用意する必要があるためである。
【００２３】
図５に実施例でのテンプレートの作成から、ＤＭＳサーバ１０へのメタデータファイル６０の送出までのプロセスを示す。テンプレート５０の設定は管理者端末６もしくはユーザ端末８で行い、設定について複合機２のテンプレート設定部４５が設定画面を提供するなどの支援を行う。設定されたテンプレートはリムーバブルディスク３３に保存する。複合機２を操作するユーザはタッチパネル２５やキーボード２７などから、テンプレートへのデータを入力する。ユーザ名はタッチパネル２５などから入力しても良いが、バイオメトリクスセンサ２６でユーザ認証を行い、認証されたユーザのユーザ名をテンプレートに入力しても良い。
【００２４】
そしてこの時、ユーザの入力を容易にするように入力支援部４４で支援を行う。例えば数字の入力しか許されていないデータ項目に対して英文字を入力すると、入力支援部４４でエラーを検出し、どの部分がエラーであるのかを表示する。またタッチパネルに表示された入力スイッチのうち、入力中の項目に対して使用できないスイッチをぼやかすなどにより、間違った入力をしないようにする。さらにデータの桁数が定まっている場合、所定の桁数のデータが入力されないと、データが不足しているもしくはデータが長すぎるなどのエラーを表示する。このようにして入力支援部４４により正しいデータが入力されるようにする。なおシステムデータは全データ項目に対してデータが存在する必要があり、ユーザの入力が必要なデータが入力されないと、入力支援部４４はエラーを表示する。これに対してユーザデータは一部の項目に対してデータが入力されないことを認めるようにしても、あるいは全てのデータ項目が入力されることを要求するようにしてもよい。
【００２５】
コピー，プリント及びファクシミリ送信の場合、これらの処理の実行前に、メタデータの入力が完了されていることを要求するようにし、スキャンの場合メタデータの入力とスキャンの実行の順序とは任意である。そしてスキャンした画像データやプリントもしくはコピーした画像データ、ファクシミリの送受信をした画像データを、画像データファイル６２とし、入力されたメタデータからメタデータファイル６０を作成し、これらを例えばリンクさせてＤＭＳサーバ１０へ送出する。
【００２６】
図６を参照して、メタデータファイル６０のみを、複合機２からＤＭＳサーバ１０へ送出する場合について説明する。複合機２のコピーで画像データを読み取ると、画像データファイル６２と、これとリンクさせたＸＭＬ形式のメタデータファイル６０とを作成する。メタデータファイル６０には、コピーに関して必須のデータ項目として、処理日時やユーザ名、及びプリントアウトした枚数などを記載する。そしてメタデータファイル６０を画像データファイル６２と共にＤＭＳサーバに出力するか、メタデータファイル６０のみを出力するかを、出力制御部４３で制御する。実施例では、メタデータファイル６０のみを出力することを実線で示す。
【００２７】
メタデータファイル６０に記載される、コピーに必須のデータ項目は、図１のリムーバブルディスク３３に記憶するテンプレートに基づいて定まる。テンプレートはコピーやスキャンなど処理毎に、及び契約書や請求書など文書の種類毎に用意され、それぞれの処理に固有のデータ項目を記載する。またメタデータ中に画像データのサムネイル画像６３を記載して、大まかな画像データが分かるようにしても良い。サムネイル画像であれば、セキュリティ上の問題もない。
【００２８】
処理に使用するテンプレート毎に、メタデータファイルを画像データファイルと共に出力するか、メタデータファイルのみを出力するかを決定しておくことにより、出力制御を行うことができる。例えば契約書や請求書などの重要文書をコピーする場合は、重要文書コピーのためのテンプレートをユーザが選択して、メタデータファイルを画像データファイルと共にＤＭＳサーバ１０や端末６，８などに出力する。雑書類をコピーする場合は、雑書類コピーのためのテンプレートをユーザが選択して、そのメタデータファイルのみをＤＭＳサーバ１０などに出力する。
【００２９】
出力制御部４３で、テンプレートの設定に従い、メタデータファイルを画像データファイルと共に出力するか、メタデータファイルのみを出力するかを制御できる。さらに、メタデータのみを出力することを処理毎にあらかじめ機器設定しておくと、例えばコピーではメタデータファイルのみを出力できる。
【００３０】
図７に、メタデータファイルの出力アルゴリズムを示す。例えばコピーが指示されると、メタデータファイルの作成はコピーの実行と並行して行い、操作したユーザ名並びに処理の日時や、コピー終了時のプリントアウトした画像の枚数などのシステムデータを記載する（Ｓ１）。複合機２のＤＭＳチェッカ４２は、コピーの実行前に、メタデータファイルをＤＭＳサーバ１０のフォルダに一時書き込みができるかどうかをチェックする（Ｓ２，Ｓ３）。保存できない場合、スキャンやプリントなどを禁止するか、もしくはリムーバブルディスク３３にメタデータを保存するなどの処理を行う。メタデータをＤＭＳサーバ１０のフォルダに一時書き込みできれば、画像データのスキャンを行い（Ｓ４）、画像データファイルを作成する（Ｓ５）。そして読み取った画像をプリントアウトして（Ｓ６）、その枚数をメタデータファイルに書き込む。
【００３１】
実施例では、メタデータ項目の処理日時、ユーザ名、プリントアウト枚数を記載し、メタデータファイル６０を出力して（Ｓ７）、ＤＭＳサーバ１０の一時フォルダに対してオーバーライトする（Ｓ８）。メタデータファイルはＤＭＳサーバ１０に保存され、管理者はコピーに伴うユーザ毎の課金を確実に行うことができる。またユーザ毎の処理履歴をＤＭＳサーバ１０側で管理でき、ファクシミリ送信などで送信対象文書や送信先のアドレス等をメタデータファイルに記載することにより、文書のセキュリティ管理を行うことができる。
【００３２】
なお図示しないが、コピーなどが中断された場合などにおいて、中断された時点でのプリントアウト枚数をメタデータファイルに記載して出力することにより、コピーを中断した場合にもそのユーザに対し課金処理を行うことができる。
【００３３】
図８にメタデータ管理プログラム８６を示し、このプログラムは図１のプログラムメモリ３１に記憶され、ＣＤ−ＲＯＭなどの記憶媒体やあるいは搬送波などにより複合機２に供給される。そしてプログラム８６はメタデータ管理部４０により処理される。テンプレート管理命令８７はテンプレートの管理一般を行い、ＤＭＳチェック命令８８は、メタデータファイルをＤＭＳサーバ１０に一時記憶できるかどうかのチェックを行い、出力制御命令８９はメタデータファイルのみをＤＭＳサーバ１０へ出力するか、画像データファイルと共に出力するかを制御する。入力支援命令９０はテンプレートへのユーザの入力、特にユーザ項目への入力を支援し、不適正な入力データをチェックしてその旨を表示し、不要なキーを隠すなどにより、ユーザが誤った形式でデータを入力しないように支援する。テンプレート設定命令９１は端末６などでのテンプレートの設定を支援する。そして命令８７〜９１の内容は、テンプレート管理部４１〜テンプレート設定部４５での前記の処理を実現するためのものである。またこの明細書において、メタデータ管理部４０に関する記載は全てそのままメタデータ管理プログラム８６にも当てはまる。
【００３４】
このように実施例では、複合機での処理時に画像データとメタデータとを共に文書管理サーバへ出力するか、メタデータのみを出力するかが制御自在であるので、処理の種類によって画像データを出力するか否かを定めることができる。例えばコピーでは画像データの保存が不必要であることが多く、重要文書の画像データのみを保存する。
【００３５】
処理の種類毎や対象文書に対応してあらかじめ用意したメタデータファイルのテンプレート毎に、画像データファイルの出力の要否を設定できる。そのためユーザは、メタデータのみを出力するか、画像データとメタデータとを出力するかの選択を、簡単に行うことができる。
【００３６】
画像データファイルを出力するかどうかは、処理の種類毎にあらかじめ機器設定しても良い。また、画像データを出力するか否か切り替えるためのスイッチを設け、ユーザが処理毎に選択できるようにしても良い。
【００３７】
ＤＭＳサーバでは不必要なデータ、例えば雑書類などの画像データを保存することなく、契約書などの重要な書類は画像データとメタデータとを保存するので、メモリを有効に使用するできる。
【００３８】
そして管理者は複合機の使用状況を管理でき、処理の履歴を得ることができる。メタデータはＤＭＳサーバを介して検索できるので、どのユーザが複合機を用いてどのような処理を行ったかの履歴を求めることができ、例えばコピーに関する課金を確実に行うことができる。またどのユーザがどのような処理を行ったかや、取り扱われた文書を特定でき、セキュリティを重視した文書管理を行うことができる。さらに発注書やインボイスなどの管理や検索が容易になり、これらの画像データを共用できる。
【図面の簡単な説明】
【００３９】
【図１】実施例の複合機とその使用環境とを示すブロック図
【図２】実施例でのメタデータのテンプレートを示す図
【図３】実施例でのＸＭＬ形式でのメタデータの例を示す図
【図４】実施例でのＣＳＶ形式でのメタデータの例を示す図で、データ内容は図３と同じ
【図５】実施例での、メタデータファイルの作成からＤＭＳサーバへの格納までのフローを示す図
【図６】実施例での、メタデータファイルの出力を説明するための図
【図７】実施例での、メタデータファイルの出力アルゴリズムを示す図
【図８】実施例のメタデータ管理プログラムのブロック図
【符号の説明】
【００４０】
２            複合機
４            ＬＡＮ
６            管理者端末
８            ユーザ端末
１０          ＤＭＳサーバ
１２          インターネットサーバ
１４          ルータ
２０          ネットワークインターフェース
２１          バス
２２          スキャナ
２３          プリンタ
２４          ファクシミリ処理部
２５          タッチパネル
２６          バイオメトリクスセンサ
２７          キーボード
３０          画像メモリ
３１          プログラムメモリ
３２          画像処理部
３３          リムーバブルディスク
４０          メタデータ管理部
４１          テンプレート管理部
４２          ＤＭＳチェッカ
４３          出力制御部
４４          入力支援部
４５          テンプレート設定部
５０          テンプレート
５１          システムデータエリア
５２          ユーザデータエリア
５３          ユーザ項目
６０，６１    メタデータファイル
６２          画像データファイル
６３          サムネイル画像
８６          メタデータ管理プログラム
８７          テンプレート管理命令
８８          ＤＭＳチェック命令
８９          出力制御命令
９０          入力支援命令
９１          テンプレート設定命令
【図１】
0004525948.tif 000002
【図２】
0004525948.tif 000003
【図３】
0004525948.tif 000004
【図４】
0004525948.tif 000005
【図５】
0004525948.tif 000006
【図６】
0004525948.tif 000007
【図７】
0004525948.tif 000008
【図８】
0004525948.tif 000009